(57)【要約】【課題】着脱可能なエプロンの落下にともなう手指の挟み込みを抑制しつつ、清掃性を向上させた浴室ユニットを提供する。【解決手段】浴槽と、前記浴槽の前方に隣接する洗い場床と、前記浴槽の前記洗い場床側の側方に着脱可能に取り付けられ、前記浴槽の側方に取り付けられた状態において、前記洗い場床との間に隙間が生じるように前記洗い場床側に突出するエプロンと、前記浴槽、前記洗い場床、及び前記浴槽の側方に取り付けられた前記エプロンの左右方向の一端側に隣接するとともに、前記浴槽の側方に取り付けられた前記エプロンの下方に位置する下部領域を有する側壁部と、前記エプロンの下端部の前記左右方向の一端側に設けられ、前記エプロンの下端部から下方に突出し、前記下部領域の少なくとも一部を覆い隠す突出部と、を備えたことを特徴とする浴室ユニットである。【選択図】図１
2018161263.tif 000002
【特許請求の範囲】
【請求項１】
浴槽と、
前記浴槽の前方に隣接する洗い場床と、
前記浴槽の前記洗い場床側の側方に着脱可能に取り付けられ、前記浴槽の側方に取り付けられた状態において、前記洗い場床との間に隙間が生じるように前記洗い場床側に突出するエプロンと、
前記浴槽、前記洗い場床、及び前記浴槽の側方に取り付けられた前記エプロンの左右方向の一端側に隣接するとともに、前記浴槽の側方に取り付けられた前記エプロンの下方に位置する下部領域を有する側壁部と、
前記エプロンの下端部の前記左右方向の一端側に設けられ、前記エプロンの下端部から下方に突出し、前記下部領域の少なくとも一部を覆い隠す突出部と、
を備えたことを特徴とする浴室ユニット。
【請求項２】
前記浴槽の側方に取り付けられた状態において、前記突出部の下端は、前記洗い場床よりも上方に位置することを特徴とする請求項１記載の浴室ユニット。
【請求項３】
前記突出部は、
前記下部領域に隣接して設けられ、上下方向及び前後方向に延びる第１板部と、
前記第１板部から前記下部領域と反対側に向かって延びる第２板部と、
を有することを特徴とする請求項２記載の浴室ユニット。
【請求項４】
前記第２板部は、前記第１板部の後端側に設けられていることを特徴とする請求項３記載の浴室ユニット。
【請求項５】
前記突出部は、
前記下部領域と左右方向において所定の間隔を空けて設けられ、上下方向及び前後方向に延びる第１板部と、
前記第１板部の前端部から前記下部領域側に向かって延びる第２板部と、
を有することを特徴とする請求項１又は２に記載の浴室ユニット。
【発明の詳細な説明】
【技術分野】
【０００１】
本発明の態様は、一般的に、浴室ユニットに関する。
【背景技術】
【０００２】
図１０に表したように、浴室に設置して使用される浴室ユニットＵＢにおいて、洗い場床ＷＰとの間に隙間ができるよう浴槽のエプロンＡＰを洗い場床ＷＰ側に出っ張らせることが知られている（例えば、特許文献１）。エプロンＡＰは、浴槽の側面に着脱可能に取り付けられる。この際、出っ張らせたエプロンＡＰの下端部に、手指を掛け易くした手掛け部を設けることで、エプロンＡＰの着脱を行い易くすることができる。
【０００３】
また、こうした浴室ユニットＵＢにおいて、エプロンＡＰを取り外す際に、エプロンＡＰが落下しないよう、落下防止部材を設けることが行われている。落下防止部材は、エプロンＡＰの裏面側に設けられ、エプロンＡＰが浴槽から取り外された際に、防水パンの堰部の上に載ることにより、エプロンＡＰの落下を防止する。これにより、落下したエプロンと洗い場床との間に手指を挟んでしまうことなどを抑制することができる。
【０００４】
しかしながら、落下防止部材を防水パンの堰部の上に載せてエプロンＡＰの落下を抑制する構成では、エプロンＡＰが勢いよく洗い場床側に引かれた際に、エプロンＡＰが一気に浴槽から離れ、落下防止部材も防水パンの堰部の上から洗い場床側に離れてしまう可能性がある。すなわち、エプロンＡＰが勢いよく洗い場床側に引かれた際に、落下防止部材が防水パンの堰部の上に載らず、エプロンＡＰが落下してしまう可能性がある。
【０００５】
そこで、エプロンＡＰの下端部に、下方に突出する突出部ＰＭを設けることが行われている。突出部ＰＭは、エプロンＡＰを落としてしまった場合に、エプロンＡＰの下端部と洗い場床ＷＰとの間に隙間を作り、使用者がエプロンＡＰの下端部と洗い場床ＷＰとの間に手指を挟んでしまうことを抑制する。
【０００６】
突出部ＰＭは、突出部ＰＭの視認にともなう浴室ユニットＵＢの美観の低下を抑制するため、エプロンＡＰの下端部の左右方向の端部付近に配置される。しかしながら、エプロンＡＰの下端部の左右方向の端部付近に突出部ＰＭを設けると、エプロンＡＰを浴槽に取り付けた状態において、エプロンＡＰに隣接する側壁部ＳＷのエプロンＡＰよりも下方の領域ＳＷａを掃除し難くなってしまう。
【０００７】
突出部ＰＭは、側壁部ＳＷから若干距離を離して配置されているため、エプロンＡＰよりも下方の領域ＳＷａが、露出してしまう。従って、この領域ＳＷａは、掃除し易いことが望ましいが、突出部ＰＭが領域ＳＷａから十分に距離を離して設けられている訳ではないため、領域ＳＷａをスポンジなどで掃除しようとした際に、突出部ＰＭが邪魔となり、領域ＳＷａを掃除し難い場合がある。このため、領域ＳＷａに汚れが残り、浴室ユニットＵＢ内の美観が低下してしまう可能性がある。一方、突出部ＰＭを領域ＳＷａから十分に距離を離すと、前述のように、突出部ＰＭの視認にともなう浴室ユニットＵＢの美観の低下を招いてしまう。
【先行技術文献】
【特許文献】
【０００８】
【特許文献１】特開２００９−２８２６５号公報
【発明の概要】
【発明が解決しようとする課題】
【０００９】
本発明は、かかる課題の認識に基づいてなされたものであり、着脱可能なエプロンの落下にともなう手指の挟み込みを抑制しつつ、清掃性を向上させた浴室ユニットを提供することを目的とする。
【課題を解決するための手段】
【００１０】
第１の発明は、浴槽と、前記浴槽の前方に隣接する洗い場床と、前記浴槽の前記洗い場床側の側方に着脱可能に取り付けられ、前記浴槽の側方に取り付けられた状態において、前記洗い場床との間に隙間が生じるように前記洗い場床側に突出するエプロンと、前記浴槽、前記洗い場床、及び前記浴槽の側方に取り付けられた前記エプロンの左右方向の一端側に隣接するとともに、前記浴槽の側方に取り付けられた前記エプロンの下方に位置する下部領域を有する側壁部と、前記エプロンの下端部の前記左右方向の一端側に設けられ、前記エプロンの下端部から下方に突出し、前記下部領域の少なくとも一部を覆い隠す突出部と、を備えたことを特徴とする浴室ユニットである。
【００１１】
この浴室ユニットによれば、エプロンが落下した際に、エプロンの下端部と洗い場床との間に突出部によって隙間が形成されるため、エプロンの下端部と洗い場床との間に手指を挟んでしまうことを抑制することができる。そして、突出部は、側壁部の下部領域の少なくとも一部を覆い隠す。これにより、下部領域のうち、突出部で覆い隠された部分は、室内側に露出することがなく、この部分の汚れによって浴室ユニットの美観が低下することがない。さらに、突出部の室内側に露出する面の掃除を邪魔するものはないため、突出部の室内側に露出する面は、スポンジなどで容易に掃除を行うことができ、汚れが残らないように掃除し易い。このため、突出部を設けたとしても、浴室ユニットの美観の低下を抑制することができる。従って、着脱可能なエプロンの落下にともなう手指の挟み込みを抑制しつつ、清掃性を向上させた浴室ユニットを提供することができる。
【００１２】
第２の発明は、第１の発明において、前記浴槽の側方に取り付けられた状態において、前記突出部の下端は、前記洗い場床よりも上方に位置することを特徴とする浴室ユニットである。
【００１３】
この浴室ユニットによれば、エプロンを着脱する際に、突出部の下端が洗い場床に擦れることがなく、エプロンの着脱作業性を向上させることができる。
【００１４】
第３の発明は、第２の発明において、前記突出部は、前記下部領域に隣接して設けられ、上下方向及び前後方向に延びる第１板部と、前記第１板部から前記下部領域と反対側に向かって延びる第２板部と、を有することを特徴とする浴室ユニットである。
【００１５】
この浴室ユニットによれば、第１板部を第２板部によって補強することができる。これにより、例えば、第１板部及び第２板部を薄板状とすることができるため、突出部に使用する材料の量を少なくして製造コストを抑えつつ、突出部に必要な強度を確保することができる。また、突出部を第１板部及び第２板部で構成することにより、例えば、突出部の下方に位置する洗い場床などを掃除し易くすることができる。例えば、突出部と洗い場床との間に隙間がある場合などには、突出部と洗い場床との間の隙間にスポンジなどを食い込ませて突出部の下方の洗い場床を掃除しなければならない。この際、径の大きい円柱状などに突出部が形成されている場合、スポンジなどを食い込ませる量を多くしなければならず、清掃し難くなってしまう。突出部を第１板部及び第２板部で構成した場合には、こうしたスポンジなどを食い込ませる量を少なくすることが可能となり、突出部の下方に位置する洗い場床などの清掃性をより向上させることができる。
【００１６】
第４の発明は、第３の発明において、前記第２板部は、前記第１板部の後端側に設けられていることを特徴とする浴室ユニットである。
【００１７】
この浴室ユニットによれば、第２板部を第１板部の後端側に設けることにより、エプロンの下方の洗い場床をエプロンの下端部に沿ってスポンジなどで掃除する際に、第２板部に手を当たり難くすることができる。従って、第２板部を設けた場合にも、清掃性をより高めることができる。
【００１８】
第５の発明は、第１又は第２の発明において、前記突出部は、前記下部領域と左右方向において所定の間隔を空けて設けられ、上下方向及び前後方向に延びる第１板部と、前記第１板部の前端部から前記下部領域側に向かって延びる第２板部と、を有することを特徴とする浴室ユニットである。
【００１９】
この浴室ユニットによれば、第１板部を第２板部によって補強することができる。これにより、例えば、第１板部及び第２板部を薄板状とすることができるため、突出部に使用する材料の量を少なくして製造コストを抑えつつ、突出部に必要な強度を確保することができる。
【発明の効果】
【００２０】
本発明の態様によれば、着脱可能なエプロンの落下にともなう手指の挟み込みを抑制しつつ、清掃性を向上させた浴室ユニットが提供される。
【図面の簡単な説明】
【００２１】
【図１】実施形態に係る浴室ユニットを模式的に表す斜視図である。
【図２】実施形態に係る浴室ユニットの浴槽を模式的に表す正面図である。
【図３】実施形態に係る浴室ユニットを模式的に表す断面図である。
【図４】実施形態に係る浴室ユニットの第１エプロンを模式的に表す斜視図である。
【図５】実施形態に係る浴室ユニットを模式的に表す平面図である。
【図６】実施形態に係る浴室ユニットの一部を模式的に表す斜視図である。
【図７】実施形態に係る浴室ユニットの変形例を模式的に表す平面図である。
【図８】実施形態に係る浴室ユニットの第１エプロンの変形例を模式的に表す斜視図である。
【図９】図９（ａ）及び図９（ｂ）は、実施形態に係る浴室ユニットの第１エプロンの変形例を模式的に表す斜視図である。
【図１０】参考の浴室ユニットを模式的に表す説明図である。
【発明を実施するための形態】
【００２２】
以下、実施形態について図面を参照しつつ説明する。なお、各図面中、同様の構成要素には同一の符号を付して詳細な説明は適宜省略する。  
図１は、実施形態に係る浴室ユニットを模式的に表す斜視図である。  
図１に表したように、浴室ユニット１０は、浴槽１２と、洗い場床１４と、第１エプロン２１（エプロン）と、第２エプロン２２と、を備える。洗い場床１４は、浴槽１２に隣接して設けられる。浴室ユニット１０は、例えば、浴槽１２、洗い場床１４、及び周囲の壁面パネルなどをユニット化した、いわゆるユニットバスやシステムバスである。
【００２３】
以下、本願明細書では、浴槽１２から洗い場床１４に向かう方向を「前方」とし、これと反対の方向を「後方」とする。すなわち、洗い場床１４は、浴槽１２の前方に隣接する。また、本願明細書では、前方を向いた状態の右側及び左側をそれぞれ「右側方」、「左側方」とする。本願明細書において、左右方向は、浴槽１２と洗い場床１４とが並ぶ前後方向及び上下方向と直交する方向である。
【００２４】
図２は、実施形態に係る浴室ユニットの浴槽を模式的に表す正面図である。  
図３は、実施形態に係る浴室ユニットを模式的に表す断面図である。  
図３は、図２のＡ１−Ａ２線断面を模式的に表す。  
図１〜図３に表したように、第１エプロン２１は、浴槽１２の洗い場床１４側の側方に着脱可能に取り付けられる。第１エプロン２１は、浴槽１２の側方に取り付けられた状態において、洗い場床１４との間に隙間が生じるように洗い場床１４側に突出する。換言すれば、第１エプロン２１は、前方に突出する。
【００２５】
第２エプロン２２は、第１エプロン２１と同様に、浴槽１２の洗い場床１４側の側方に着脱可能に取り付けられる。第２エプロン２２は、第１エプロン２１と左右方向に並べて、浴槽１２の側方に着脱可能に取り付けられる。第２エプロン２２は、浴槽１２の側方に取り付けられた状態において、洗い場床１４との間に隙間が生じるように洗い場床１４側に突出する。
【００２６】
第１エプロン２１及び第２エプロン２２は、上下方向及び左右方向に延びる板状である。換言すれば、第１エプロン２１及び第２エプロン２２は、浴槽１２の側面１２ｓと略平行な略矩形の板状である。浴槽１２の側面１２ｓには、例えば、点検口などが設けられる。第１エプロン２１及び第２エプロン２２は、例えば、浴槽１２の側面１２ｓ（点検口など）を覆うことにより、浴槽１２のメンテナンス性を保ちつつ、浴槽１２の美観を向上させる。第１エプロン２１及び第２エプロン２２は、凸状又は凹状に湾曲した板状などでもよい。
【００２７】
第１エプロン２１の左右方向の長さは、第２エプロン２２の左右方向の長さよりも長い。例えば、浴槽１２の側方に１つのエプロンを取り付ける構成では、カウンターが浴室の壁面に取り付けられている場合などに、カウンターが邪魔になり、エプロンが着脱し難くなってしまう可能性がある。このような場合には、この例で表しているように、浴槽１２に対して第１エプロン２１及び第２エプロン２２を取り付けることが好ましい。例えば、カウンターが設けられている壁面側に左右方向の長さが短い第２エプロン２２を配置する。これにより、第１エプロン２１を取り外した後に、第２エプロン２２を取り外すことで、カウンターなどが邪魔になる浴室においても第１エプロン２１及び第２エプロン２２を適切に着脱することができる。また、例えば、第１エプロン２１の着脱のみでメンテナンスを行うこともでき、浴室ユニット１０の利便性をより向上させることができる。なお、浴槽１２の側方に取り付けられるエプロンの数は、２つに限ることなく、１つでもよいし、３つ以上でもよい。
【００２８】
浴室ユニット１０は、側壁部１６と、第１突出部３１（突出部）と、第２突出部３２と、をさらに備える。側壁部１６は、浴槽１２、洗い場床１４、及び浴槽１２の側方に取り付けられた第１エプロン２１の左右方向の一端側に隣接する。側壁部１６は、浴槽１２の側方に取り付けられた第１エプロン２１の下方に位置する下部領域１６ａを有する。下部領域１６ａは、壁面パネルの下端部でもよいし、洗い場床１４の端部から上方に延びる立ち上がり部でもよいし、壁面パネルの下端部と洗い場床１４の立ち上がり部との双方を含んでもよい。
【００２９】
この例では、第１エプロン２１が、浴槽１２の右側端に寄せて取り付けられ、側壁部１６が、浴槽１２、洗い場床１４、及び第１エプロン２１のそれぞれの右側端に隣接して設けられている。すなわち、側壁部１６は、浴室ユニット１０の右側の側壁を構成する。これとは反対に、第１エプロン２１を浴槽１２の左側端に寄せて取り付け、浴槽１２、洗い場床１４、及び第１エプロン２１のそれぞれの左側端に隣接させて側壁部１６を設けてもよい。
【００３０】
第１突出部３１は、第１エプロン２１の下端部２１ａの左右方向の一端側に設けられる。すなわち、第１突出部３１は、側壁部１６側に寄せて設けられる。第１突出部３１は、第１エプロン２１の下端部２１ａから下方に突出し、側壁部１６の下部領域１６ａの少なくとも一部を覆い隠す。
【００３１】
第１エプロン２１が浴槽１２の側方に取り付けられた状態において、第１突出部３１は、側壁部１６に近接して配置される。第１エプロン２１が浴槽１２の側方に取り付けられた状態において、第１突出部３１と側壁部１６との間の左右方向の最短の距離は、第１突出部３１によって下部領域１６ａを視認し辛くすることができる任意の距離でよい。第１突出部３１と側壁部１６との間の左右方向の最短の距離は、例えば、５ｍｍ以下である。これにより、第１突出部３１によって下部領域１６ａの少なくとも一部を適切に覆い隠すことができる。第１エプロン２１が浴槽１２の側方に取り付けられた状態において、第１突出部３１は、側壁部１６に当接していてもよい。
【００３２】
第１エプロン２１が浴槽１２の側方に取り付けられた状態において、第１突出部３１の下端３１ａは、洗い場床１４よりも上方に位置する。第１突出部３１は、下端３１ａと洗い場床１４との間に隙間を形成する。従って、この例において、第１突出部３１は、下部領域１６ａのうち、上方の一部分のみを覆い隠す。第１突出部３１の下端３１ａと洗い場床１４との間の距離Ｌ１は、例えば、１ｍｍ以上１０ｍｍ以下である。
【００３３】
第２突出部３２は、第１エプロン２１の下端部２１ａの左右方向の他端側に設けられる。すなわち、第２突出部３２は、側壁部１６と反対側の端部に設けられる。第２突出部３２は、第１エプロン２１の下端部２１ａから下方に突出する。第２突出部３２の形状は、例えば、円柱状である。第２突出部３２の形状は、これに限ることなく、任意の形状でよい。
【００３４】
例えば、浴槽１２に対して第１エプロン２１のみが取り付けられ、第１エプロン２１の両側端が、浴室ユニット１０の側壁部と隣接している場合には、第２突出部３２の形状を第１突出部３１の形状と同様とし、第１エプロン２１の両側端において、側壁部の下部領域の少なくとも一部を覆い隠せるようにしてもよい。
【００３５】
第１エプロン２１が浴槽１２の側方に取り付けられた状態において、第２突出部３２の下端３２ａは、洗い場床１４よりも上方に位置する。第２突出部３２の下端３２ａの位置は、第１突出部３１の下端３１ａの位置と実質的に同じである。換言すれば、第２突出部３２の第１エプロン２１の下端部２１ａからの突出量は、第１突出部３１の第１エプロン２１の下端部２１ａからの突出量と実質的に同じである。
【００３６】
第１突出部３１及び第２突出部３２は、第１エプロン２１を取り外した際に、第１エプロン２１の重さが一気に使用者にかかり、使用者が第１エプロン２１を洗い場床１４に落としてしまった場合に、第１エプロン２１の下端部２１ａと洗い場床１４との間に隙間を作ることにより、使用者が第１エプロン２１の下端部２１ａと洗い場床１４との間に手指を挟んでしまうことを抑制する。
【００３７】
第１エプロン２１に設けられる突出部の数は、２つに限ることなく、１つでもよいし、３つ以上でもよい。第２突出部３２は、必要に応じて設けられ、省略可能である。また、この例では、第１エプロン２１のみに第１突出部３１及び第２突出部３２を設けている。左右方向の長さが短く、第１エプロン２１と比べて比較的重量の軽い第２エプロン２２には、必ずしも手指の挟み込みを抑制するための第１突出部３１及び第２突出部３２を設けなくてもよい。これに限ることなく、第１エプロン２１及び第２エプロン２２の双方に第１突出部３１及び第２突出部３２を設けてもよい。第２エプロン２２の構成は、左右方向の長さや第１突出部３１及び第２突出部３２の有無などを除いて、第１エプロン２１の構成と実質的に同じであるから、以下では、第１エプロン２１についてのみ説明を行う。
【００３８】
図４は、実施形態に係る浴室ユニットの第１エプロンを模式的に表す斜視図である。  
図３及び図４に表したように、第１エプロン２１の下端部２１ａは、浴槽１２の側方に取り付けられた状態において、浴槽１２側に向かって延びる底面部４０を有する。底面部４０は、例えば、前後方向及び左右方向に延びる平板状である。第１突出部３１及び第２突出部３２は、底面部４０に設けられる。
【００３９】
底面部４０は、第１エプロン２１の着脱の際に、手指を掛けるための手掛け部４２を有する。手掛け部４２は、例えば、平板状の底面部４０を上下に貫通する貫通孔状である。手掛け部４２の形状は、貫通孔状に限ることなく、手指を掛け易い任意の形状でよい。また、第１エプロン２１は、使用者などの左右の手に対応した２つの手掛け部４２を有する。２つの手掛け部４２は、例えば、人体の肩幅程度以上の間隔を空けて左右方向に並べて設けられる。これにより、第１エプロン２１をより着脱し易くすることができる。但し、手掛け部４２の数は、２つに限ることなく、１つでもよいし、３つ以上でもよい。
【００４０】
第１エプロン２１は、係合部４４と、突起部４６と、をさらに有する。係合部４４は、第１エプロン２１の上部に設けられる。突起部４６は、例えば、第１エプロン２１の下端部２１ａ付近において、底面部４０の僅かに上方に設けられる。突起部４６は、底面部４０の上方から後方に向かって突出する。突起部４６は、係合爪４６ａを有する。係合爪４６ａは、突起部４６の先端（後端）に後方側を向いて設けられている。この例において、第１エプロン２１は、左右方向に並ぶ２つの突起部４６を有する。突起部４６の数は、１つでもよいし、３つ以上でもよい。
【００４１】
浴槽１２は、垂下部１２ａと、支持板部１２ｂと、を有する。垂下部１２ａは、浴槽１２の上部（リム面）の前端から下方に向かって延びる。垂下部１２ａは、第１エプロン２１の係合部４４と係合する。
【００４２】
支持板部１２ｂは、側面１２ｓの下部から前方に向かって延びる。支持板部１２ｂは、例えば、前後方向及び左右方向に延びる平板状である。支持板部１２ｂには、支持部材１２ｃが設けられている。支持部材１２ｃは、第１エプロン２１の突起部４６に対応して設けられる。すなわち、この例では、２つの突起部４６のそれぞれに対応する２つの支持部材１２ｃが、支持板部１２ｂに設けられている。各支持部材１２ｃは、各突起部４６の係合爪４６ａと係合することにより、各突起部４６を支持する。各支持部材１２ｃは、例えば、係合爪４６ａを上下に挟むクリップ状である。これにより、各支持部材１２ｃは、所定以上の力を加えないと、係合爪４６ａとの係合状態が外れないようにする。
【００４３】
第１エプロン２１を浴槽１２の側面１２ｓに取り付ける場合には、まず、第１エプロン２１の係合部４４を垂下部１２ａの後方側に挿し込み、係合部４４を垂下部１２ａと係合させる。この後、係合部４４の付近を軸に第１エプロン２１を回転させながら、各突起部４６の係合爪４６ａを各支持部材１２ｃに挿し込むことにより、各突起部４６を各支持部材１２ｃと係合させる。
【００４４】
このように、第１エプロン２１の上部を垂下部１２ａに係合させ、第１エプロン２１の下部を各支持部材１２ｃに支持させることにより、第１エプロン２１が、浴槽１２の側面１２ｓに着脱可能に取り付けられる。第１エプロン２１の取付方法は、上記に限ることなく、浴槽１２の側面１２ｓに着脱可能に取り付け可能な任意の方法でよい。
【００４５】
図５は、実施形態に係る浴室ユニットを模式的に表す平面図である。  
図２〜図５に表したように、第１突出部３１は、第１板部５１と、第２板部５２と、を有する。第１板部５１は、第１エプロン２１が浴槽１２の側方に取り付けられた状態において、下部領域１６ａに隣接して設けられ、上下方向及び前後方向に延びる。第１板部５１は、第１エプロン２１の下端部２１ａの左右方向の一端に設けられる。第１板部５１は、下部領域１６ａと略平行な板状である。これにより、第１板部５１は、下部領域１６ａの少なくとも一部を覆い隠す。
【００４６】
第２板部５２は、第１板部５１から下部領域１６ａと反対側に向かって延びる。第２板部５２は、例えば、第１板部５１の後端側に設けられている。この例において、第２板部５２は、第１板部５１の後端から下部領域１６ａと反対側に向かって延びている。第１板部５１の後端側とは、例えば、第１板部５１の前後方向の中央と第１板部５１の後端との間の部分である。第２板部５２は、例えば、洗い場床１４の立ち上がり部１４ａに隣接して設けられ、立ち上がり部１４ａに沿って延びる。第２板部５２は、上下方向及び左右方向に延びる板状である。これにより、第２板部５２は、第１板部５１を補強する。第２板部５２は、換言すれば、補強リブである。
【００４７】
第１板部５１及び第２板部５２は、薄板状である。第１板部５１の厚さ（左右方向の長さ）は、例えば、１ｍｍ以上５ｍｍ以下である。第２板部５２の厚さ（前後方向の長さ）は、例えば、１ｍｍ以上５ｍｍ以下である。
【００４８】
第２板部５２の下端の位置（高さ）は、第１板部５１の下端の位置と実質的に同じである。第１突出部３１の下端３１ａは、第１板部５１の下端と第２板部５２の下端とによって構成される。これに限ることなく、第２板部５２の下端の位置は、第１板部５１の下端の位置と異なってもよい。第１突出部３１の下端３１ａは、第１板部５１の下端と第２板部５２の下端とのいずれか一方のみで構成してもよい。
【００４９】
図６は、実施形態に係る浴室ユニットの一部を模式的に表す斜視図である。  
図６に表したように、本実施形態に係る浴室ユニット１０では、第１突出部３１が、側壁部１６の下部領域１６ａの少なくとも一部を覆い隠す。これにより、下部領域１６ａのうち、第１突出部３１で覆い隠された部分は、室内側に露出することがなく、この部分の汚れによって浴室ユニット１０の美観が低下することがない。さらに、第１突出部３１の室内側に露出する面の掃除を邪魔するものはないため、第１突出部３１の室内側に露出する面は、スポンジなどで容易に掃除を行うことができ、汚れが残らないように掃除し易い。このため、第１突出部３１を設けたとしても、浴室ユニット１０の美観の低下を抑制することができる。
【００５０】
また、浴室ユニット１０では、第１エプロン２１が落下した際に、第１エプロン２１の下端部２１ａと洗い場床１４との間に第１突出部３１及び第２突出部３２によって隙間が形成されるため、第１エプロン２１の下端部２１ａと洗い場床１４との間に手指を挟んでしまうことを抑制することができる。従って、着脱可能な第１エプロン２１の落下にともなう手指の挟み込みを抑制しつつ、清掃性を向上させた浴室ユニット１０を提供することができる。
【００５１】
また、浴室ユニット１０では、浴槽１２の側方に取り付けられた状態において、第１突出部３１の下端３１ａは、洗い場床１４よりも上方に位置している。これにより、第１エプロン２１を着脱する際に、第１突出部３１の下端３１ａが洗い場床１４に擦れることがなく、第１エプロン２１の着脱作業性を向上させることができる。
【００５２】
この際、第１突出部３１の下端３１ａと洗い場床１４との間の距離Ｌ１は、１ｍｍ以上１０ｍｍ以下とすることが好ましい。これにより、下部領域１６ａの一部を適切に覆い隠しつつ、第１エプロン２１の着脱作業性を向上させることができる。
【００５３】
第１突出部３１の下端３１ａは、浴槽１２の側方に取り付けられた状態において、洗い場床１４に当接していてもよい。この場合には、下部領域１６ａをより確実に覆い隠すことができる。例えば、下部領域１６ａの略全体を覆い隠すことができる。従って、浴室ユニット１０の美観をより向上させることができる。
【００５４】
また、浴室ユニット１０では、第１突出部３１が、第１板部５１と、第２板部５２と、を有する。これにより、第１板部５１を第２板部５２によって補強することができる。これにより、例えば、第１板部５１及び第２板部５２を薄板状とすることが可能になり、第１突出部３１に使用する材料の量を少なくして製造コストを抑えつつ、第１突出部３１に必要な強度を確保することができる。
【００５５】
また、第１突出部３１を第１板部５１及び第２板部５２で構成することにより、例えば、第１突出部３１の下方に位置する洗い場床１４などを掃除し易くすることができる。例えば、第１板部５１及び第２板部５２を薄板状にすることにより、第１突出部３１の下方に位置する洗い場床１４などをより掃除し易くすることができる。
【００５６】
第１突出部３１と洗い場床１４との間に隙間がある場合などには、第１突出部３１と洗い場床１４との間の隙間にスポンジなどを食い込ませて第１突出部３１の下方の洗い場床１４を掃除しなければならない。この際、径の大きい円柱状などに第１突出部３１が形成されている場合、スポンジなどを食い込ませる量を多くしなければならず、清掃し難くなってしまう。第１突出部３１を薄板状の第１板部５１及び第２板部５２で構成した場合には、こうしたスポンジなどを食い込ませる量を少なくすることが可能となり、第１突出部３１の下方に位置する洗い場床１４などの清掃性をより向上させることができる。
【００５７】
また、浴室ユニット１０では、第２板部５２が、第１板部５１の後端側に設けられている。これにより、第１エプロン２１の下方の洗い場床１４を第１エプロン２１の下端部２１ａに沿ってスポンジなどで掃除する際に、第２板部５２に手を当たり難くすることができる。従って、第２板部５２を設けた場合にも、清掃性をより高めることができる。また、例えば、第１板部５１の室内側を向く面を掃除し易くすることもでき、浴室ユニット１０の清掃性及び美観をより向上させることができる。
【００５８】
図７は、実施形態に係る浴室ユニットの変形例を模式的に表す平面図である。  
図８は、実施形態に係る浴室ユニットの第１エプロンの変形例を模式的に表す斜視図である。  
なお、上記実施形態と機能・構成上実質的に同じものについては、同符号を付し、詳細な説明を省略する。  
図７及び図８に表したように、この例では、第１突出部３１の第１板部５１が、浴槽１２の側方に取り付けられた状態において、下部領域１６ａと左右方向において所定の間隔を空けて設けられ、上下方向及び前後方向に延びる。換言すれば、第１板部５１は、第１エプロン２１の下端部２１ａの左右方向の一端から離間した位置に設けられる。そして、第２板部５２が、浴槽１２の側方に取り付けられた状態において、第１板部５１の前端部から下部領域１６ａ側に向かって延びる。換言すれば、第２板部５２は、第１板部５１の前端部から第１エプロン２１の下端部２１ａの左右方向の一端に向かって延びる。ここで、第１板部５１の前端部とは、例えば、第１板部５１の前後方向の中央と第１板部５１の前端との間の部分である。また、この例においても、第１板部５１及び第２板部５２は、薄板状とすることができる。この例では、第１板部５１及び第２板部５２が、下部領域１６ａの少なくとも一部を覆い隠す。
【００５９】
このように第１板部５１と第２板部５２とを構成した場合にも、上記実施形態と同様に、第１板部５１を第２板部５２によって補強することができる。第１板部５１及び第２板部５２を薄板状とすることができるため、第１突出部３１に使用する材料の量を少なくして製造コストを抑えつつ、第１突出部３１に必要な強度を確保することができる。また、第１突出部３１を第１板部５１及び第２板部５２で構成することにより、例えば、第１突出部３１の下方に位置する洗い場床１４などを掃除し易くすることができる。
【００６０】
図９（ａ）及び図９（ｂ）は、実施形態に係る浴室ユニットの第１エプロンの変形例を模式的に表す斜視図である。  
図９（ａ）に表したように、第２板部５２は、上下方向及び前後方向に延びる薄板状の第１板部５１の前後方向の中央付近に設けてもよい。この場合にも、上記実施形態と同様に、第１板部５１を第２板部５２によって補強することができる。従って、上記実施形態と同様の効果を得ることができる。
【００６１】
また、図９（ｂ）に表したように、第２板部５２は、必ずしも設けなくてもよい。第１板部５２のみで十分な強度を得られる場合には、第２板部５２を省略してもよい。換言すれば、第１突出部３１は、上下方向及び前後方向に延びる平板状の形状でもよい。第１突出部３１の形状は、下部領域１６ａの少なくとも一部を覆い隠すことが可能な任意の形状でよい。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１０ 浴室ユニット、  １２ 浴槽、  １４ 洗い場床、  １６ 側壁部、  １６ａ 下部領域、  ２１ 第１エプロン、  ２２ 第２エプロン、  ３１ 第１突出部、  ３２ 第２突出部、  ４０ 底面部、  ４２ 手掛け部、  ４４ 係合部、  ４６ 突起部、  ５１ 第１板部、  ５２ 第２板部
【図１】
2018161263.tif 000003
【図２】
2018161263.tif 000004
【図３】
2018161263.tif 000005
【図４】
2018161263.tif 000006
【図５】
2018161263.tif 000007
【図６】
2018161263.tif 000008
【図７】
2018161263.tif 000009
【図８】
2018161263.tif 000010
【図９】
2018161263.tif 000011
【図１０】
2018161263.tif 000012